(57)【要約】  本発明は、クレーンでの作業性を落とすことなく、巻上機に関する情報の入出力が可能なクレーン装置を提供することを目的とする。そのために本発明は、吊り具２８を上下方向に移動させる巻上機１と、巻上機１に指令を与える押ボタンスイッチ６と、巻上機１を制御する制御装置３０と、制御装置３０に備えられ情報の入出力を行う入出力ポート１７と、吊り具２８に備えられ入出力ポート１７と接続可能な外部記憶媒体２０とを備える。吊り具２８が上方向に移動した時、外部記憶媒体２０は入出力ポート１７と接続し、巻上機１に関する情報を制御装置３０から外部記憶媒体２０に転送する。もしくは、巻上機１に関する情報を外部記憶媒体２０から制御装置３０に転送する。
2020008948.tif 000002
【特許請求の範囲】
【請求項１】
吊り具を上下方向に移動させる巻上機と、
前記巻上機に指令を与える操作入力部と、
前記巻上機を制御する制御装置と、
前記制御装置に備えられ情報の入出力を行う入出力ポートと、
前記吊り具に備えられ前記入出力ポートと接続可能な記憶手段とを備えたことを特徴とするクレーン装置。
【請求項２】
請求項１において、
前記制御装置には、前記巻上機の稼働回数、稼働時間を記憶するアワーメータユニットを備えたことを特徴とするクレーン装置。
【請求項３】
請求項１または２において、
前記制御装置には、前記吊り具が上方向の上限に達した時、電気回路を遮断するリミットスイッチを備えたことを特徴とするクレーン装置。
【請求項４】
請求項１において、
前記記憶手段を保持する保持手段と、前記吊り具に固定されたスタンドと、前記保持手段と前記スタンドとの間に配置されたスタンドバネとを備えたことを特徴とするクレーン装置。
【請求項５】
請求項１において、
前記入出力ポートには前記記憶手段を案内する案内手段を備えたことを特徴とするクレーン装置。
【請求項６】
吊り具を上下方向に移動させる巻上機と、
前記巻上機に指令を与える操作入力部と、
前記巻上機を制御する制御装置と、
前記制御装置に備えられ情報の入出力を行う入出力ポートと、
前記吊り具に備えられ前記入出力ポートと接続可能な記憶手段とを備え、
前記吊り具を上方向に移動した時、前記記憶手段は前記入出力ポートと接続し、
前記巻上機の稼働回数、稼働時間に関する情報を前記制御装置から前記記憶手段に転送することを特徴とするクレーン装置の情報出力方法。
【請求項７】
吊り具を上下方向に移動させる巻上機と、
前記巻上機に指令を与える操作入力部と、
前記巻上機を制御する制御装置と、
前記制御装置に備えられ情報の入出力を行う入出力ポートと、
前記吊り具に備えられ前記入出力ポートと接続可能な記憶手段とを備え、
前記吊り具を上方向に移動した時、前記記憶手段は前記入出力ポートと接続し、
前記巻上機の初期情報、メンテナンス情報を前記記憶手段から前記制御装置に転送することを特徴とするクレーン装置の情報入力方法。
【発明の詳細な説明】
【技術分野】
【０００１】
本発明は、クレーン装置及びクレーン装置の情報入出力方法に関するものである。
【背景技術】
【０００２】
クレーン装置は、稼働状況から部品の交換時期や故障予測といった保守作業が行われる。クレーン装置の稼働状況は、クレーン装置を制御する制御装置に記憶される。クレーン装置を制御する制御装置は、巻上機と共に高所に設置されることが多い。このため、保守作業員は高所に設置された制御装置まで行き、クレーン装置の稼働状況に関する情報を取得する必要があり、作業性が悪かった。この課題を解決するために、クレーン装置に無線通信装置を設置し、スマートフォン等の情報処理装置との間で通信を行うことで、巻上、横行、走行といった指令を情報処理装置から無線通信装置に送信し、クレーン装置の制御を行うと共に、クレーン装置の情報を取得するような技術が提案されている。このような技術として、例えば特許文献１がある。
【先行技術文献】
【特許文献】
【０００３】
【特許文献１】特開２０１４−２３４２６０号公報
【発明の概要】
【発明が解決しようとする課題】
【０００４】
特許文献１に記載の技術においては、情報処理装置を利用してクレーン装置を制御したり、情報を取得するようにしているので、クレーン装置を操作していない時には情報処理装置を身につけて作業するか、どこかに置いて作業する必要がある。このため、情報処理装置が作業の邪魔になり、また情報処理装置を紛失したり、さらには使用者以外が不意に情報処理装置に触って誤作動を起こす可能性があった。また、情報処理装置は充電や電池の交換が都度必要であり操作中に充電切れや電池切れによる作業中断などを強いられる問題があった。【０００５】
本発明の目的は、クレーンでの作業性を落とすことなく、巻上機に関する情報の入出力が可能なクレーン装置及びクレーン装置の情報入出力方法を提供することにある。
【課題を解決するための手段】
【０００６】
上記目的を達成するために本発明の特徴とするところは、吊り具を上下方向に移動させる巻上機と、前記巻上機に指令を与える操作入力部と、前記巻上機を制御する制御装置と、前記制御装置に備えられ情報の入出力を行う入出力ポートと、前記吊り具に備えられ前記入出力ポートと接続可能な記憶手段とを備えたことにある。【０００７】
また、本発明の特徴とするところは、吊り具を上下方向に移動させる巻上機と、前記巻上機に指令を与える操作入力部と、前記巻上機を制御する制御装置と、前記制御装置に備えられ情報の入出力を行う入出力ポートと、前記吊り具に備えられ前記入出力ポートと接続可能な記憶手段とを備え、前記吊り具を上方向に移動した時、前記記憶手段は前記入出力ポートと接続し、前記巻上機の稼働回数、稼働時間に関する情報を前記制御装置から前記記憶手段に転送することにある。【０００８】
さらにまた、本発明の特徴とするところは、吊り具を上下方向に移動させる巻上機と、前記巻上機に指令を与える操作入力部と、前記巻上機を制御する制御装置と、前記制御装置に備えられ情報の入出力を行う入出力ポートと、前記吊り具に備えられ前記入出力ポートと接続可能な記憶手段とを備え、前記吊り具を上方向に移動した時、前記記憶手は前記入出力ポートと接続し、前記巻上機の初期情報、メンテナンス情報を前記記憶手段から前記制御装置に転送することにある。
【発明の効果】
【０００９】
本発明によれば、クレーンでの作業性を落とすことなく、巻上機に関する情報の入出力が可能なクレーン装置及びクレーン装置の情報入出力方法を提供することができる。
【図面の簡単な説明】
【００１０】
【図１】本発明の実施例に係るクレーン装置の外観斜視図である。
【図２】本発明の実施例に係る巻上機の電気回路図である。
【図３】本発明の実施例に係る巻上機の一部拡大斜視図である。
【図４】本発明の実施例に係る巻上機の側面図である。
【図５】図４における要部拡大図である。
【発明を実施するための形態】
【００１１】
以下、本発明に係るクレーン装置の実施例を図面に基づいて説明する。本発明は以下の実施例に限定されることなく、本発明の技術的な概念の中で種々の変形例や応用例もその範囲に含むものである。
【００１２】
図１は本発明の実施例に係るクレーン装置の外観斜視図である。工場の建屋内にはクレーン装置が設置されることがある。クレーン装置は、建屋内の壁面に沿って設置された一対のランウェイ２と、ランウェイ２を走行する車輪を備えた一対のサドル３と、一対のサドル３間に渡って配置されたガーダ４と、ガーダ４を走行する横行装置に設置された巻上機１と、巻上機１に電気的に接続されたケーブル５と、ケーブル５に接続された押ボタンスイッチ６（操作入力部）から構成されている。操作者は押ボタンスイッチ６を操作することにより、巻上機１に指令を与え、巻上下動作や走行・横行動作を行う。
【００１３】
次に、本実施例に係る巻上機１の動作について説明する。図２は本発明の実施例に係る巻上機の電気回路図である。
【００１４】
押ボタンスイッチ６は、巻上機１を巻上動作させるための上ボタン１３（巻上入力部）と、巻上機１を巻下動作させるための下ボタン１４（巻下入力部）とを有する。上ボタン１３及び下ボタン１４は、操作者により押され、押ボタンスイッチ６内の押ボタン用接点１０が閉じることで電磁接触器７の励磁コイル９を励磁する。電磁接触器７の電磁接触器用接点８は、励磁した励磁コイル９により閉じられる。これにより、モータ１１が通電されるとともに電磁ブレーキ１２が開放され、巻上機１は巻上動作および巻下動作を開始する。
【００１５】
巻上動作と巻下動作の切替えについては、押ボタンスイッチ６の上ボタン１３及び下ボタン１４を押した場合に、それぞれ電磁接触器７の出力側の相回転が逆になるよう接続することで、巻上動作と巻下動作を可能にしている。
【００１６】
巻上機１の運転動作回数は、押ボタンスイッチ６の操作回数と、電磁接触器７の動作回数に基づいて、マイコン１８取得されて保存される。また、巻上機１の運転時間は、押ボタンスイッチ６の通電時間と、電磁接触器７の通電時間とに基づいて、マイコン１８に取得されて保存される。
【００１７】
ここで、巻上機１において、インバータ駆動方式による電子化がなされた機種の普及が進む一方、稼働情報は高所にある巻上機１の制御部にて直接確認するか、無線装置を用いて通信により確認することが一般的である。
【００１８】
さらに巻上機１の耐久性の長さなどの理由から、非インバータ駆動方式である巻上機１のニーズもある。非インバータ駆動方式の巻上機１は、モータ１１、電磁ブレーキ１２、電磁接触器７、押ボタンスイッチ６、リミットスイッチ１５にて電気部品を構成することが一般的である。
【００１９】
本実施例では、これらの構成に加え、巻上機１の電気回路にアワーメータユニット１６を接続している。このアワーメータユニット１６には、巻上機１の稼働回数、及び稼働時間などの稼働情報を記憶させる。さらに、本実施例では、アワーメータユニット１６に記憶された稼働状況データを出力可能な入出力ポート１７を設けている。本実施例は、電磁接触器７、電磁接触器用接点８、励磁コイル９、リミットスイッチ１５、アワーメータユニット１６、入出力ポート１７にて制御装置３０を構成している。制御装置３０は巻上機１を制御する。そして、本実施例では、アワーメータユニット１６及び入出力ポート１７を設けたことにより、無線装置など用いることなく操作者が地上にいる状態で巻上機１の稼働回数および稼働時間などの稼働状況データを取得することができる。
【００２０】
次に稼働状況データを取得する手段について、図２〜図５を用いて説明する。図３は本発明の実施例に係る巻上機の一部拡大斜視図、図４は本発明の実施例に係る巻上機の側面図、図５は図４における要部拡大図である。
【００２１】
図２において、押ボタンスイッチ６に設置された上ボタン１３、もしくは下ボタン１４を押すと、押ボタンスイッチ６内の押ボタン用接点１０が閉じる。これにより、電磁接触器７の励磁コイル９が励磁され、電磁接触器７の電磁接触器用接点８が閉じる。電磁接触器用接点８が閉じると、アワーメータユニット１６内にある入力回路部（信号検出部）が通電され、入力回路部で入力信号に置き換わる。
【００２２】
入力回路部は、マイコン１８に入力信号を出力し、これにより通電時間と始動回数の測定を開始する。 また、アワーメータユニット１６において電気的信号が入力される場所は、上ボタン１３用と下ボタン１４用の２つあり、マイコン１８は上ボタン１３、もしくは下ボタン１４の何れかの入力があった場合に測定を行う。
【００２３】
入力回路部は、入力された電気的信号に基づき、巻上機１の稼働時間と稼働回数として、アワーメータユニット１６が通電されている通電時間と、それにより巻上機１が始動した始動回数を検出する。
【００２４】
入力回路部は、検出した通電時間と始動回数はマイコン１８に出力する。マイコン１８は、出力されて取得した通電時間と始動回数に基づき、稼働時間と稼働回数を記憶する。マイコン１８はＲＡＭ（Random Access Memory）を備えており、稼働時間と稼働回数はこのＲＡＭに記憶される。マイコン１８では、通電時間と始動回数が入力される度に、前回の通電時間と始動回数に入力された通電時間と始動回数を積算し、トータルの稼働時間と稼働回数を算出していく。マイコン１８は、記憶している巻上機１のトータルの稼働時間と稼働回数とに基づいて、巻上機１の残存寿命値を推定する。
【００２５】
アワーメータユニット１６は、ＵＳＢ端子等に代表される外部記憶媒体２０（記憶手段）が接続可能な入出力ポート１７を備えている。入出力ポート１７では外部記憶媒体２０の接続が確認されると、マイコン１８に記憶された稼働時間と稼働回数などの稼働情報を取り出すことが可能となる。
【００２６】
このように、アワーメータユニット１６は、入力回路部、マイコン１８、入出力ポート１７を有し、それらの動作を実現するための必要最低限の電子部品により非常にコンパクトに一体構成されている。アワーメータユニット１６は、巻上機１本体の制御装置３０内に設けられており、入出力ポート１７は巻上機１用の外装カバーに設けられた開口部より入出力ポート１７への外部記憶媒体２０の挿入が可能となっている。
【００２７】
図３〜図５に示すように、巻上機１によって上下方向に移動する吊り具２８には、外部記憶媒体２０を保持するためのホルダー２１（保持手段）と、このホルダー２１を保持するスタンド２３と、上下方向に付勢されたスタンドバネ２２が設けられている。一般的に、巻上機１は吊り具２８を上限位置で停止させる時、上限リミットを用いて動作を停止させる。一例として図３を用いてリミット機構について説明する。
【００２８】
操作者が所定の高さ以上（上方向の上限に達した時）に吊り具２８を巻上げ運転した場合、吊り具２８がリミットバネ２４を押し上げ、チェーンガイド２５に接触する。リミットバネ２４は吊り具２８の上昇により圧縮され、リミットバネ２４の付勢力によりチェーンガイド２５が上昇する。チェーンガイド２５が上昇すると、リミットレバー２６を押し上げ、軸２６ａを中心としてリミットレバー２６が転角する。リミットレバー２６が転角すると、リミットレバー２６の切欠きに挿入されているリミットスイッチ軸２７が転角する。リミットスイッチ軸２７が転角すると、リミットスイッチ１５の接点が開路し、電気回路が遮断される。
【００２９】
次に図４及び図５を用いて、稼働情報の出力方法（取得方法）について説明する。図４及び図５において、巻上機１を制御する制御装置３０の下面には、入出力ポート１７が設けられている。入出力ポート１７は、外部記憶媒体２０と接続する接続口が下方に向かって開口するように配置され、内部に外部記憶媒体２０を案内するホルダーガイド１９（案内手段）が設けられている。
【００３０】
吊り具２８が上昇すると、ホルダー２１に保持された外部記憶媒体２０も上昇し、外部記憶媒体２０の接続部がホルダーガイド１９に沿って案内され、入出力ポート１７の接続口に挿入される。吊り具２８はさらに上昇を続けるが、上述したリミットスイッチ１５の接点が開路し、電気回路が遮断され、吊り具２８の上昇が停止する。外部記憶媒体２０を保持するホルダー２１と、吊り具２８に取り付けられたスタンド２３との間には、スタンドバネ２２が設けられているので、スタンドバネ２２がホルダー２１及び外部記憶媒体２０を入出力ポート１７に押し付けることにより、外部記憶媒体２０の接続部が入出力ポート１７の接続口に挿入される。
【００３１】
アワーメータユニット１６は、外部記憶媒体２０が入出力ポート１７への挿入されたことを検知すると、稼働情報の転送を行い、外部記憶媒体２０に稼働情報の書込みを行う。なお、稼働情報の転送の開始は、外部記憶媒体２０の挿入を検知すると直ちに行うようにしてもよい。このように本実施例では、巻上機１の稼働回数、稼働時間に関する情報を制御装置３０から外部記憶媒体２０に転送するようにしている。
【００３２】
また、アワーメータユニット１６には、入出力ポート１７を介して情報の書き込み（入力）も可能である。書き込む情報としては、巻上機１本体情報である製造番号や特殊仕様の注記などの初期情報や、配線図番号、交換部品履歴などのメンテナンス情報などがあり、これらの情報をマイコン１８に記憶させることが可能である。このように本実施例では、巻上機１の初期情報、メンテナンス情報を外部記憶媒体２０から制御装置３０に転送するようにしている。
【００３３】
さらに、本実施例では、上記構成に代えて、RFID(Radio Frequency Identification)システムであるRFIDタグ、RFIDライター、RFIDリーダーを用いることも可能である。アワーメータユニット１６の稼動情報は巻上機1内に備えたRFIDライターを介し、同じく巻上機１内のRFIDタグに記憶される。巻上機１用の吊り具２８にはRFIDリーダーを備えており、操作者が吊り具２８をRFIDタグリーダーの通信範囲内まで巻上げ運転することで情報を取得することが可能である。
【００３４】
なお、マイコン１８は、記憶している巻上機１の稼働時間と稼働情報とに加え、入力された初期情報やメンテナンス情報等に基づいて、巻上機１の残存寿命値を推定するようにするとよい。これにより、巻上機１を使用する操作者の使用状況や巻上機１の種類に応じて、精度よく巻上機１の残存寿命値を推定することができる。
【００３５】
また、巻上機１はJISB8815及びクレーン構造規格で製品等級と常態としてつる荷重に応じて総運転時間（寿命時間）が設定されている。巻上機１の等級は、本体銘板，製品仕様書，製品カタログなどに記載されており、巻上機１もこの等級に対応して設計されている。
【００３６】
通常は専門家が巻上機１の操作時間と常態としてつる荷重をサンプリングすることで残存寿命を推定しているが、本実施例によれば比較的想定容易な負荷のみを想定するだけで巻上機１の残存寿命が推定可能である。
【００３７】
また、押ボタンスイッチ６、及び電磁接触器７の部品寿命は、始動回数により定められているため、始動回数を把握することで押ボタンスイッチ６、及び電磁接触器７の残存寿命値が推定可能である。
【００３８】
このように、本実施例によれば、巻上機１本体の制御部を確認するために高所に上ることなく、手元で容易に、稼働情報やメンテナンス情報などの巻上機１に関する情報を取り出したり、入力したりすることで稼働情報の記憶や機器情報の取り出し等が可能となる。これにより、操作者が行うメンテナンスの一助とすることができる。
【００３９】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００４０】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【００４１】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００４２】
１…巻上機、２…ランウェイ、３…サドル、４…ガーダ、５…ケーブル、６…押ボタンスイッチ、７…電磁接触器、８…電磁接触器用接点、９…励磁コイル、１０…押ボタン用接点、１１…モータ、１２…電磁ブレーキ、１３…上ボタン、１４…下ボタン、１５…リミットスイッチ、１６…アワーメータユニット、１７…入出力ポート、１８…マイコン、１９…ホルダーガイド、 ２０…外部記憶媒体、２１…ホルダー、２２…スタンドバネ、２３…スタンド、２４…リミットバネ、２５…チェーンガイド、２６…リミットレバー、２６ａ…軸、２７…リミットスイッチ軸、２８…吊り具、３０…制御装置
【図１】
2020008948.tif 000003
【図２】
2020008948.tif 000004
【図３】
2020008948.tif 000005
【図４】
2020008948.tif 000006
【図５】
2020008948.tif 000007
【国際調査報告】
2020008948.tif 000008
2020008948.tif 000009
2020008948.tif 000010
2020008948.tif 000011